【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
画像データを受信して、他の装置に転送する画像処理装置であって、
前記画像データの転送先ごとに該画像データの転送方法を指示するための指示情報をユーザに設定させる設定手段と、
前記設定された指示情報を記憶する記憶手段と、
受信した画像データがカラー画像のデータであるか、モノクロ画像のデータであるかを判定する判定手段と、
前記画像データがカラー画像のデータであるときに、前記画像データの転送先と前記記憶手段に記憶されている指示情報とに従って転送方法を決定する決定手段と、
決定された前記転送方法に従って画像データを転送する転送手段と
を備え、
前記転送方法には、カラー画像のデータを転送する第１転送方法、カラー画像のデータをモノクロ画像のデータに変換して転送する第２転送方法、及び、カラー画像のデータを前記記憶手段に記憶させて画像データを受信したことを示すレポートを前記転送先の装置に送信する第３転送方法が含まれることを特徴とする画像処理装置。
【請求項２】
前記決定手段は、
前記転送先に対して前記指示情報が設定されていない場合に、前記転送先の装置においてカラー印刷が可能か否かを示す能力情報を該転送先の装置から取得する能力取得手段を備え、
前記取得した能力情報が前記転送先の装置においてカラー印刷が可能であることを示す場合に前記転送方法を前記第１転送方法に決定し、該能力情報が前記転送先の装置においてカラー印刷が不可能であることを示す場合に前記転送方法を前記第３転送方法に決定することを特徴とする請求項１に記載の画像処理装置。
【請求項３】
前記決定手段は、
前記転送先に対して前記指示情報が設定されていない場合に、前記転送方法を前記第３転送方法に決定することを特徴とする請求項１に記載の画像処理装置。
【請求項４】
前記指示情報としては、前記転送先の装置の能力に合わせて転送させる転送先依存、強制的にカラー画像のデータをモノクロ画像のデータに変換して転送させる強制モノクロ、又は、転送先のユーザに対して前記転送方法を指示させるための転送先指示が設定可能であり、
前記決定手段は、
前記指示情報として前記転送先依存が設定されている場合であって前記転送先の装置においてカラー印刷が可能である場合に、前記転送方法を前記第１転送方法に決定し、
前記指示情報として前記転送先依存が設定されている場合であって前記転送先の装置においてカラー印刷が不可能である場合に、前記転送方法を前記第２転送方法に決定し、
前記指示情報として前記強制モノクロが設定されている場合に、前記転送方法を前記第２転送方法に決定し、
前記指示情報として前記転送先指示が設定されている場合に、前記転送方法を前記第３転送方法に決定することを特徴とする請求項１乃至３の何れか１項に記載の画像処理装置。
【請求項５】
前記設定手段は、
前記指示情報を設定するための設定画面を前記画像処理装置に備えられる表示装置に表示させる表示制御手段と、
前記画像処理装置に備えられる入力装置を用いて前記設定画面を介して入力された設定内容を取得する取得手段とを備え、
前記設定画面は、
少なくとも前記転送先の装置へ通信接続するための情報を設定する項目及び前記指示情報を設定する項目を含むことを特徴とする請求項１乃至４の何れか１項に記載の画像処理装置。
【請求項６】
前記転送手段は、
前記レポートを作成するレポート作成手段を備え、
前記レポートは、少なくとも前記画像データとしてカラー画像のデータを受信している情報と、前記画像処理装置を特定するための情報と、前記記憶手段に記憶した該画像データを特定するための情報とを含むことを特徴とする請求項１乃至５の何れか１項に記載の画像処理装置。
【請求項７】
前記レポート作成手段は、前記レポートをモノクロ画像のデータとして作成し、
前記モノクロ画像のデータとして作成されたレポートは、前記転送先の装置でモノクロ印刷されることを特徴とする請求項６に記載の画像処理装置。
【請求項８】
前記レポートは、さらに、前記画像データのうち、少なくとも１ページ以上の内容を縮小したモノクロ画像を含むことを特徴とする請求項６又は７に記載の画像処理装置。
【請求項９】
前記レポートは、さらに、前記転送方法を指示する指示情報を選択するための選択項目を含み、
前記決定手段は、
ユーザによって前記選択項目が選択されたレポートを画像データとして読み込む読込手段と、
前記読み込まれたレポートの画像データから、前記選択項目が記載されている位置を解析することにより選択された指示情報を取得する解析手段とを、さらに備え、
取得された指示情報に基づいて前記転送方法を決定することを特徴とする請求項６乃至８の何れか１項に記載の画像処理装置。
【請求項１０】
前記レポートは、さらに、前記転送先の装置を指示するための該転送先の宛先情報を記入する宛先記入欄を含み、
前記決定手段は、
前記読み込まれたレポートの画像データから、前記宛先記入欄に記入された文字を認識する文字認識手段をさらに備え、
前記認識された文字から転送先を決定することを特徴とする請求項９に記載の画像処理装置。
【請求項１１】
前記レポートに含まれる前記画像処理装置を特定するための情報は、線又はドットの位置に情報を持たせたデジタルセキュリティコードで表現されることを特徴とする請求項６乃至１０の何れか１項に記載の画像処理装置。
【請求項１２】
画像データを受信して、他の装置に転送する画像処理装置の制御方法であって、
設定手段が、前記画像データの転送先ごとに該画像データの転送方法を指示するための指示情報をユーザに設定させるステップと、
記憶手段が、前記設定された指示情報を記憶手段に記憶するステップと、
判定手段が、受信した画像データがカラー画像のデータであるか、モノクロ画像のデータであるかを判定するステップと、
決定手段が、前記画像データがカラー画像のデータであるときに、前記画像データの転送先と前記記憶手段に記憶されている指示情報とに従って前記転送方法を決定するステップと、
転送手段が、決定された前記転送方法に従って画像データを転送するステップと
を実行し、
前記転送方法には、カラー画像のデータを転送する第１転送方法、カラー画像のデータをモノクロ画像のデータに変換して転送する第２転送方法、及び、カラー画像のデータを前記記憶手段に記憶させて画像データを受信したことを示すレポートを前記転送先の装置に送信する第３転送方法が含まれることを特徴とする画像処理装置の制御方法。
【請求項１３】
請求項１２に記載の画像処理装置の制御方法をコンピュータに実行させるプログラム。
【手続補正２】
【補正対象書類名】明細書
【補正対象項目名】００１１
【補正方法】変更
【補正の内容】
【００１１】
本発明は、例えば、画像データを受信して、他の装置に転送する画像処理装置として実現できる。画像処理装置は、画像データの転送先ごとに画像データの転送方法を指示するための指示情報をユーザに設定させる設定手段と、設定された指示情報を記憶する記憶手段と、受信した画像データがカラー画像のデータであるか、モノクロ画像のデータであるかを判定する判定手段と、画像データがカラー画像のデータであるときに、画像データの転送先と記憶手段に記憶されている指示情報とに従って転送方法を決定する決定手段と、決定された転送方法に従って画像データを転送する転送手段とを備え、転送方法には、カラー画像のデータを転送する第１転送方法、カラー画像のデータをモノクロ画像のデータに変換して転送する第２転送方法、及び、カラー画像のデータを記憶手段に記憶させて画像データを受信したことを示すレポートを転送先の装置に送信する第３転送方法が含まれることを特徴とする。
【手続補正３】
【補正対象書類名】明細書
【補正対象項目名】００１２
【補正方法】変更
【補正の内容】
【００１２】
また、本発明は、例えば、画像データを受信して、他の装置に転送する画像処理装置の制御方法として実現できる。制御方法は、設定手段が、画像データの転送先ごとに画像データの転送方法を指示するための指示情報をユーザに設定させるステップと、記憶手段が、設定された指示情報を記憶手段に記憶するステップと、判定手段が、受信した画像データがカラー画像のデータであるか、モノクロ画像のデータであるかを判定するステップと、決定手段が、画像データがカラー画像のデータであるときに、画像データの転送先と記憶手段に記憶されている指示情報とに従って転送方法を決定するステップと、転送手段が、決定された転送方法に従って画像データを転送するステップとを実行し、転送方法には、カラー画像のデータを転送する第１転送方法、カラー画像のデータをモノクロ画像のデータに変換して転送する第２転送方法、及び、カラー画像のデータを記憶手段に記憶させて画像データを受信したことを示すレポートを転送先の装置に送信する第３転送方法が含まれることを特徴とする。